(57)【要約】【課題】集合住宅の居室内における音環境を向上させるための装置を提供する。【解決手段】集合住宅の各居室２に設けられている２４時間換気システムを構成する換気用ダクト４内の振動を検出する振動検出手段としての振動ピックアップ１１と、居室２内に設置されて振動ピックアップ１１で検出した振動を再生するスピーカー１４と、スピーカー１４の出力を予め設定したレベルに調整する出力調整器１３とを備え、振動ピックアップ１１で採取した換気用ダクト４内の振動音を、居住者がうるささを感じないような適度な音量に調整して居室２に導入するようにした。【選択図】図１
2015135008.tif 000002
【特許請求の範囲】
【請求項１】
２４時間換気システムが導入されている集合住宅の居室内に騒音をマスキングするためのマスキング音を導入する騒音マスキング装置であって、
前記換気システムを構成する換気用ダクト内の振動を検出する振動検出手段と、
前記集合住宅の居室内に設置されて前記振動検出手段で検出した振動を再生するスピーカーと、
前記スピーカーの出力を予め設定したレベルに調整する出力調整装置と、
を備えることを特徴とする騒音マスキング装置。
【請求項２】
前記振動検出手段が前記換気用ダクトの壁面、もしくは、前記換気用ダクト内に設けられたモータの表面のいずれか一方もしくは両方に取付けられていることを特徴とする請求項１に記載の騒音マスキング装置。
【請求項３】
前記振動検出手段の検出した振動の周波数が予め設定した特定周波数帯域内の周波数である場合には、前記スピーカーの出力を予め設定したレベルよりも大きな、第２のレベルに設定することを特徴とする請求項１または請求項２に記載の騒音マスキング装置。
【発明の詳細な説明】
【技術分野】
【０００１】
本発明は、集合住宅の居室内における音環境の向上に関するものである。
【背景技術】
【０００２】
近年、集合住宅においては、サッシ等の開口部の気密性能の向上に伴って居室の遮音性能も向上してきている（例えば、特許文献１，２参照）。
しかし、鉄道沿線に立地する集合住宅では、列車が通過しないときに室内のＡ特性音圧レベルが２０ｄＢ台前半となるため、上階の歩行音や排水音などが気になってしまうといった問題点があった。
上記問題点を解決するためには、壁、床、天井などの厚さや材質、あるいは、構造などを変更して適切な遮音性能を確保する必要があった。
【先行技術文献】
【特許文献】
【０００３】
【特許文献１】特開２０１２−５２３８７号公報
【特許文献２】特開２０１０−２６５１２７号公報
【発明の概要】
【発明が解決しようとする課題】
【０００４】
しかしながら、既設の集合住宅の壁、床、天井などで適切な遮音性能を確保するためには大規模な追加工事が必要であるといった問題点があった。
そこで、集合住宅の屋上などにマイクロフォンを設置して、集合住宅の周辺で発生する外部音を採取し、この外部音を室内に導入することで、上階の歩行音などをマスキングする方法も考えられるが、外部音には人の話し声などが混入する場合もあるので、導入された外部音が気になってしまうといった問題点がある。
【０００５】
本発明は、上記問題点に鑑みてなされたもので、集合住宅の居室内における音環境を向上させるための装置を提供することを目的とする。
【課題を解決するための手段】
【０００６】
本発明は、２４時間換気システムが導入されている集合住宅の居室内に騒音をマスキングするためのマスキング音（振動音）を導入する騒音マスキング装置であって、前記換気システムを構成する換気用ダクト内の振動を検出する振動検出手段と、前記集合住宅の居室内に設置されて前記振動検出手段で検出した振動を再生するスピーカーと、前記スピーカーの出力を予め設定したレベルに調整する出力調整器と、を備えたことを特徴とする。
このよう騒音マスキング装置を設けることで、居室内には、居住者がうるささを感じないような適度な音量の振動音を導入することができるので、上階の歩行音や排水音などを効果的にマスキングすることができる。また、振動音は、外部音とは異なり、人の話し声などが混入していないので、外部音を導入した場合に比べて、居室内の音環境を更に向上させることができる。
【０００７】
また、本発明は、前記振動検出手段が前記換気用ダクトの壁面、もしくは、前記換気用ダクト内に設けられたモータの表面のいずれか一方もしくは両方に取付けられていることを特徴とする。
これにより、換気用ダクト内の振動を確実に検出してスピーカーに送ることができる。
また、本発明は、前記振動検出手段の検出した振動の周波数が予め設定した特定周波数帯域内の周波数である場合には、前記スピーカーの出力を予め設定したレベルよりも大きな、第２のレベルに設定することを特徴とする。
このような構成とすることにより、消防車のサイレンのような特定周波数の振動音については積極的に居室内へ導入することができる。
【０００８】
なお、前記発明の概要は、本発明の必要な全ての特徴を列挙したものではなく、これらの特徴群のサブコンビネーションもまた、発明となり得る。
【図面の簡単な説明】
【０００９】
【図１】本実施の形態に係る騒音マスキング装置の構成を示す図である。
【発明を実施するための形態】
【００１０】
図１は、本実施の形態に係る騒音マスキング装置１０の構成を示す図で、同図において、１１は振動検出手段としての振動ピックアップ、１２は増幅器、１３は出力調整器、１４はスピーカーである。
騒音マスキング装置１０は、２４時間換気システムが導入されている集合住宅１の居室２内に設けられる。本例では、換気ファン３ａと換気用モータ３ｂとを備えた換気手段３を浴室２１の天井部に設置するとともに、換気用ダクト４の排気口５を、共有部分である外廊下２２に面する外壁２３の上部側に設けている。なお、同図において、符号２４はベランダ２５に面するリビングで、符号２６は子供部屋である。なお、浴室２１、リビング２４、及び、子供部屋２６には、それぞれ、外部の空気を導入する給気口６〜９が設けられている。
【００１１】
振動ピックアップ１１は、換気用ダクト４の外壁面に設置されて、換気用ダクト４に伝搬される換気用モータ３ｂの振動音や、換気用ダクト４の排気口５から換気用ダクト４内に進入した風など音圧によって励起される換気用ダクト４の振動を検出する。
増幅器１２は、振動ピックアップ１１で検出した換気用ダクト４の振動音を増幅して出力調整器１３に送る。
出力調整器１３は、振動音出力調整手段１３ａと帯域フィルター１３ｂと特殊音出力調整手段１３ｃとを備える。
振動音出力調整手段１３ａは、スピーカー１４に出力される振動音の出力を一定に調整することで、室内での振動音の音圧レベルが常時３０ｄＢ程度となるように設定する。
帯域フィルター１３ｂは、振動音のなかから、消防車のサイレンのような特定周波数帯域（４００〜８５０Ｈｚ）の振動音を取り出して特殊音出力調整手段１３ｃへ送る。
特殊音出力調整手段１３ｃは、スピーカー１４に出力される特定周波数帯域の振動音の出力を一定に調整する。このとき、特定周波数帯域の振動音の出力レベルをスピーカー１４の出力を振動音出力調整手段１３ａで設定したレベルよりも大きな第２のレベル（室内での音圧レベルが５０ｄＢ程度）に設定することが好ましい。
スピーカー１４は、リビング２４の天井に設置されて、出力調整器１３の振動音出力調整手段１３ａにより所定の音圧レベル（３０ｄＢ程度）になるように調節された振動音と、特殊音出力調整手段１３ｃにより第２の音圧レベル（５０ｄＢ程度）になるように調節された振動音とをリビング２４内に導入する。
【００１２】
次に、騒音マスキング装置１０による音環境の向上について説明する。
振動ピックアップ１１により検出され増幅器１２で増幅された換気用ダクト４の振動は、出力調整器１３にて出力調整され、スピーカー１４からリビング２４内に放射される。
スピーカー１４から出力される振動音は、上階の歩行音や排水音などをマスキングするので、リビング２４内が静かな場合に比べて、上記の歩行音や排水音などが気にならなくなる。また、スピーカー１４から出力される振動音は、音圧レベルが常時３０ｄＢ程度と、居住者がうるささを感じないような適度な音量に調整されているので、リビング２４の音環境が大幅に向上する。
また、集合住宅１の周辺で発生する外部音を採取し、この外部音によりマスキングした場合には、人の話し声などが混入するなどして導入された外部音が気になってしまうといった問題点があるが、本例では、換気用ダクト４の振動音によりマスキングしているので、このような問題は起こらない。これは、換気用ダクト４内に人の話し声などが入っても、換気用ダクト４内では人の話し声が減衰されるとともに、換気用ダクト４が人の話し声と同じ周波数で振動しないためである。
【００１３】
スピーカー１４からは、消防車のサイレンのような特定周波数帯域の音も同時にリビング２４内に放射されるが、スピーカー１４から出力される振動音は、上記のように、音圧レベルが常時３０ｄＢ程度になるように制限しているので、居室内で特定周波数帯域の音を感知することは困難である。
本例では、帯域フィルター１３ｂを設けて特定周波数帯域の音を別個に取出すとともに、特殊音出力調整手段１３ｃにより、スピーカー１４から出力される特定周波数帯域の音の音圧レベルを、他の周波数帯域の音圧レベルよりも高い５０ｄＢ程度に設定しているので、居住者は、消防車のサイレンなどを感知することができる。
【００１４】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【００１５】
例えば、前記実施の形態では、振動ピックアップ１１を換気用ダクト４の外壁面に設置したが、換気ファン３ａを回転させる換気用モータ３ｂの表面に取付けてもよいし、換気用ダクト４の外壁面と換気用モータ３ｂの表面の両方に取付けてもよい。
また、前記実施の形態では、スピーカー１４をリビングのみに設けたが、他の部屋にも設けてもよい。
また、前記実施の形態では、振動音出力調整手段１３ａを設けて、所定の音圧レベルを、Ａ特性音圧レベルが３０ｄＢとなるようにしたが、居住者がうるささを感じないような音圧レベルとしては、３０ｄＢ〜４０ｄＢの範囲であれば十分である。また、特定周波数帯域の音の音圧レベルについても、５０ｄＢ〜６０ｄＢの範囲であればよい。
【符号の説明】
【００１６】
１  集合住宅、２  居室、３  換気手段、３ａ  換気ファン、３ｂ  換気用モータ、
４  換気用ダクト、５  排気口、６〜９  給気口、
１０  騒音マスキング装置、１１  振動ピックアップ、１２  増幅器、
１３  出力調整器、１３ａ  振動音出力調整手段、１３ｂ  帯域フィルター、
１３ｃ  特殊音出力調整手段、１４  スピーカー、
２１  浴室、２２  外廊下、２３  外壁、２４  リビング、２５  ベランダ、
２６  子供部屋。
【図１】
2015135008.tif 000003